(57)【特許請求の範囲】
【請求項１】
給湯源から供給される湯と給水源から供給される水とを混合した湯水混合水を吐止水する湯水混合水栓であって、
上記湯水混合水を生成する湯水混合弁ユニットと、
上記湯水混合水の流量を調整する流量調整弁ユニットと、
上記給湯源から供給される湯が流入する湯流入口、上記給水源から供給される水が流入する水流入口、及び上記湯水混合水が排出される排出口がそれぞれ形成される筒状の水栓本体であって、その内部に長軸方向に延びる筒状部を形成すると共に、上記湯水混合弁ユニット及び上記流量調整弁ユニットのそれぞれが上記水栓本体の一端側及び他端側のそれぞれから挿入されて収納される上記水栓本体と、
上記水栓本体の他端側から挿入されることにより上記筒状部の他端に水密に接続されて上記流量調整弁ユニットを保持する流量調整弁ハウジングと、を有し、
上記流量調整弁ユニットは、その一端が上記水栓本体の他端側から上記流量調整弁ハウジングを介して挿入された状態で上記筒状部内に保持されると共に、上記湯水混合弁ユニット側から上記流量調整弁ユニット内に流入した上記湯水混合水を流出させる流出口と、上記筒状部内に設けられて上記流量調整弁ユニットの流出口が周面に形成された円筒状の弁座部材と、この弁座部材内に同軸に回転可能に設けられて周面に開口が形成された円筒状の弁部材と、を備え、
上記流量調整弁ハウジングは、その一端側が上記水栓本体の上記筒状部に水密に接続され且つその他端側が上記水栓本体の他端部に水密に接続された状態で、上記円筒状の弁座部材及び上記円筒状の弁部材の他端側に配置され、上記流量調整弁ユニットの流出口と上記水栓本体の排出口とが互いに直接的に重なり合うように上記水栓本体の他端と上記筒状部の他端との間に配置されているスペーサであることを特徴とする湯水混合水栓。
【請求項２】
上記円筒状の弁部材は、その回転角度に応じて上記弁部材の開口と上記円筒状の弁座部材の上記流出口とが上記弁部材及び上記弁座部材の半径方向に重なり合う開弁状態、又は上記弁部材の周面が上記弁座部材の上記流出口を閉鎖する閉弁状態のいずれかの状態に切り替え可能であり、
上記流量調整弁ユニットには、上記湯水混合弁ユニットを通過した上記湯水混合水が上記流量調整弁ユニットの長軸方向から上記弁部材内に流入する流入流路が形成されると共に、上記開弁状態で上記弁部材の上記開口及び上記弁座部材の上記流出口から流出する流出流路が形成され、
上記流量調整弁ユニットの上記流入流路と上記流出流路とが互いに直交している請求項１記載の湯水混合水栓。
【請求項３】
上記水栓本体の排出口の中心軸線は、上記水栓本体の湯流入口の中心軸線と上記水栓本体の水流入口の中心軸線との中間又はその近傍を通る請求項１又は２に記載の湯水混合水栓。
【請求項４】
上記水栓本体の排出口の中心軸線は、上記水栓本体の長手方向の中心又はその近傍を通る請求項１乃至３の何れか１項に記載の湯水混合水栓。
【発明の詳細な説明】
【技術分野】
【０００１】
本発明は、湯水混合水栓に係り、特に、給湯源から供給される湯と給水源から供給される水とを混合した湯水混合水を吐止水する湯水混合水栓に関する。
【背景技術】
【０００２】
従来から、給湯源から供給される湯と給水源から供給される水とを混合した湯水を吐止水する湯水混合水栓として、例えば、特許文献１に記載されているように、湯水混合弁と流量調整弁とが水栓本体内に直接的に挿入されて収納されたものが知られている。また、湯水混合弁と流量調整弁とが収納された状態の水栓本体内の壁面等には、湯や水の複雑な流路が確保されている。
【先行技術文献】
【特許文献】
【０００３】
【特許文献１】特開２００６−３２９３０４号公報
【発明の概要】
【発明が解決しようとする課題】
【０００４】
しかしながら、上述した従来の湯水混合水栓においては、一般的には、水栓本体が鋳型成形品であることから、製造時には、水栓本体に対して湯や水の複雑な内部流路を形成するための特殊な鋳型を用いた鋳型成形や、水栓本体の内壁等に特別な機械加工等が必要となるため、製造効率が低下するという問題がある。
また、水栓本体に湯や水の複雑な流路を確保することにより、水栓本体の外形寸法（例えば、水栓本体の外径等）が大きくなることによるデザイン性の低下や、水栓本体の重量増による製造コストが増大するという問題がある。
さらに、近年では、国内外における様々な設置状況に応じて要求される湯水混合水栓の仕様が異なる場合がある。例えば、設置状況によっては、通常の仕様よりも湯水混合水栓の長手方向の外形寸法が長尺な仕様のものを使用する場合や、湯水混合水栓の湯流入口と水流入口との軸心間距離（湯水混合水栓の湯流入口の中心軸線と水流入口の中心軸線との距離）がより長い仕様のものを使用する場合等があり、これらの場合、水栓本体の湯流入口及び水流入口のそれぞれから水栓本体の排出口に至るまでの内部流路の経路が複雑になり、経路長さも長くなるため、このような内部流路を確保するための製造コストもさらに増大するという問題がある。
したがって、水栓本体の内部流路をいかに簡単な経路にするかが要請された課題となっている。
また、上述した従来の湯水混合水栓においては、水栓本体が鋳型成形品であるため、特に、水栓本体における湯側領域の表面や混合湯水の排出口付近の表面において、内部の通湯温度の熱が伝わり、使用者が表面に触れることができない程度に熱くなる場合もあるため、水栓本体のデザイン性を高めつつ、水栓本体の表面が熱くならないように通水させるための通水路等の内部流路をいかに確保するかについても要請された課題となっている。
【０００５】
そこで、本発明は、上述した従来技術の問題や要請された課題を解決するためになされたものであり、水栓本体の内部流路を簡単な経路にすることにより水栓本体の外形寸法を小型化することができると共に、デザイン性を高めることができる湯水混合水栓を提供することを目的としている。
【課題を解決するための手段】
【０００６】
上述した課題を解決するために、本発明は、給湯源から供給される湯と給水源から供給される水とを混合した湯水混合水を吐止水する湯水混合水栓であって、上記湯水混合水を生成する湯水混合弁ユニットと、上記湯水混合水の流量を調整する流量調整弁ユニットと、上記給湯源から供給される湯が流入する湯流入口、上記給水源から供給される水が流入する水流入口、及び上記湯水混合水が排出される排出口がそれぞれ形成される筒状の水栓本体であって、その内部に長軸方向に延びる筒状部を形成すると共に、上記湯水混合弁ユニット及び上記流量調整弁ユニットのそれぞれが上記水栓本体の一端側及び他端側のそれぞれから挿入されて収納される上記水栓本体と、上記水栓本体の他端側から挿入されることにより上記筒状部の他端に水密に接続されて上記流量調整弁ユニットを保持する流量調整弁ハウジングと、を有し、上記流量調整弁ユニットは、その一端が上記水栓本体の他端側から上記流量調整弁ハウジングを介して挿入された状態で上記筒状部内に保持されると共に、上記湯水混合弁ユニット側から上記流量調整弁ユニット内に流入した上記湯水混合水を流出させる流出口と、上記水栓本体の上記筒状部内に設けられた円筒状の弁座部材であって、その周面に上記流出口が形成された上記円筒状の弁座部材と、この弁座部材内に同軸に回転可能に設けられた円筒状の弁部材であって、その周面に開口が形成された上記円筒状の弁部材と、を備え、上記流量調整弁ハウジングは、その一端側が上記水栓本体の上記筒状部に水密に接続され且つその他端側が上記水栓本体の他端部に水密に接続された状態で、上記円筒状の弁座部材及び上記円筒状の弁部材の他端側に配置され、上記流量調整弁ユニットの流出口と上記水栓本体の排出口とが互いに直接的に重なり合うように上記水栓本体の他端と上記筒状部の他端との間に配置されているスペーサであることを特徴としている。
このように構成された本発明においては、流量調整弁ユニットが、その一端が水栓本体の他端側から流量調整弁ハウジングを介して挿入された状態で筒状部内に保持される共に、湯水混合弁ユニット側から流量調整弁ユニット内に流入した湯水混合水を流出させる流出口と、水栓本体の上記筒状部内に設けられた円筒状の弁座部材と、この弁座部材内に同軸に回転可能に設けられた円筒状の弁部材と、を備えており、流量調整弁ハウジングの一端側が水栓本体の筒状部に水密に接続され且つ流量調整弁ハウジングの他端側が水栓本体の他端部に水密に接続された状態で、円筒状の弁座部材及び円筒状の弁部材の他端側に配置され、流量調整弁ユニットの流出口と水栓本体の排出口とが互いに直接的に重なり合うように流量調整弁ハウジングが水栓本体の他端と筒状部の他端との間に配置されているスペーサであることにより、流量調整弁ユニットの流出口と水栓本体の排出口との間の流路を最短に形成することができる。
したがって、水栓本体の内部流路を簡単な経路にすることができ、水栓本体の外形寸法（例えば、水栓本体の外径等）を小型化することができるため、湯水混合水栓のデザイン性を高めることができる。
また、流量調整弁ハウジングにより、水栓本体と流量調整弁ハウジングとの間における水栓本体の排出口の近傍にも通水路が形成されるため、使用者が水栓本体の表面に触れたとしても熱くない湯水混合水栓とすることができる。
【０００７】
本発明において、好ましくは、上記円筒状の弁部材は、その回転角度に応じて上記弁部材の開口と上記円筒状の弁座部材の上記流出口とが上記弁部材及び上記弁座部材の半径方向に重なり合う開弁状態、又は上記弁部材の周面が上記弁座部材の上記流出口を閉鎖する閉弁状態のいずれかの状態に切り替え可能であり、上記流量調整弁ユニットには、上記湯水混合弁ユニットを通過した上記湯水混合水が上記流量調整弁ユニットの長軸方向から上記弁部材内に流入する流入流路が形成されると共に、上記開弁状態で上記弁部材の上記開口及び上記弁座部材の上記流出口から流出する流出流路が形成され、上記流量調整弁ユニットの上記流入流路と上記流出流路とが互いに直交している。
このように構成された本発明においては、円筒状の弁部材が、その回転角度に応じて弁部材の開口と円筒状の弁座部材の流出口とが弁部材及び弁座部材の半径方向に重なり合う開弁状態、又は弁部材の周面が弁座部材の流出口を閉鎖する閉弁状態のいずれかの状態に切り替え可能であり、流量調整弁ユニットには、湯水混合弁ユニットを通過した湯水混合水が流量調整弁ユニットの長軸方向から弁部材内に流入する流入流路が形成されると共に、開弁状態で弁部材の開口及び弁座部材の流出口から流出する流出流路が形成され、流量調整弁ユニットの流入流路及び流出流路が互いに直交しているため、開弁状態では、湯水混合弁ユニットを通過した湯水混合水が、流量調整弁ユニットの長軸方向から流量調整弁ユニットの弁部材に流入した後、弁部材の開口を経て弁座部材の流出口から弁部材及び弁座部材の半径方向に流出し、流量調整弁ユニットの流出口と直接的に重なり合う水栓本体の排出口から流出することできる。
また、流量調整弁ユニットにおける湯水混合水の流入流路と流出流路とが互いに直交していることにより、流量調整弁ユニットの流出口から水栓本体の排出口までの下流側の流路を水栓本体に設ける必要がなくなり、水栓本体をより小型化させることができる。
【０００８】
本発明において、好ましくは、上記水栓本体の排出口の中心軸線は、上記水栓本体の湯流入口の中心軸線と上記水栓本体の水流入口の中心軸線との中間又はその近傍を通る。
このように構成された本発明においては、水栓本体の排出口の中心軸線が、水栓本体の湯流入口の中心軸線と水栓本体の水流入口の中心軸線との中間又はその近傍を通ることにより、水栓本体の湯流入口及び水流入口のそれぞれが水栓本体の排出口に対してほぼ等距離に配置されるため、湯水混合水栓のデザイン性を高めると共に、湯水混合水栓の長手方向の両端のいずれかの側からも使用者が排出口にアクセスしやすくすることができる。
【０００９】
本発明において、好ましくは、上記水栓本体の排出口の中心軸線は、上記水栓本体の長手方向の中心又はその近傍を通る。
このように構成された本発明においては、水栓本体の排出口の中心軸線が水栓本体の長手方向の中心又はその近傍を通ることにより、水栓本体の排出口が水栓本体の長手方向の両端部から等距離の位置に形成されるため、湯水混合水栓のデザイン性を高めると共に、湯水混合水栓の長手方向の両端のいずれかの側からも使用者が排出口にアクセスしやすくすることができる。
【発明の効果】
【００１０】
本発明の湯水混合水栓によれば、水栓本体の内部流路を簡単な経路にすることにより水栓本体の外形寸法を小型化することができると共に、デザイン性を高めることができる。
【図面の簡単な説明】
【００１１】
【図１】本発明の一実施形態による湯水混合水栓の概略斜視図である。
【図２】本発明の一実施形態による湯水混合水栓の分解斜視図である。
【図３】本発明の一実施形態による湯水混合水栓の平面断面図である。
【図４】本発明の一実施形態による湯水混合水栓の正面断面図である。
【図５】図１のＶ−Ｖ線に沿った本発明の一実施形態による湯水混合水栓の中央側面断面図である。
【図６】本発明の一実施形態による湯水混合水栓の湯水混合弁ユニットの斜視図である。
【図７】本発明の一実施形態による湯水混合水栓の湯水混合弁ハウジングの斜視図である。
【図８】図１のＶＩＩＩ−ＶＩＩＩ線に沿った断面図である。
【図９】本発明の一実施形態による湯水混合水栓の湯水混合弁保持ハウジングの斜視図である。
【図１０】本発明の一実施形態による湯水混合水栓の流量調整弁ユニットの斜視図である。
【図１１】本発明の一実施形態による湯水混合水栓の流量調整弁ハウジングの斜視図である。
【発明を実施するための形態】
【００１２】
つぎに、添付図面を参照して、本発明の一実施形態による湯水混合水栓について説明する。
まず、図１は、本発明の一実施形態による湯水混合水栓の概略斜視図であり、図２は、本発明の一実施形態による湯水混合水栓の分解斜視図である。
また、図３は、本発明の一実施形態による湯水混合水栓の平面断面図であり、図４は、本発明の一実施形態による湯水混合水栓の正面断面図であり、図５は、図１のＶ−Ｖ線に沿った本発明の一実施形態による湯水混合水栓の中央側面断面図である。
【００１３】
まず、図１〜図４に示すように、本発明の一実施形態による湯水混合水栓１は、水栓本体２と、湯水混合水を生成するほぼ円筒状の湯水混合弁ハウジング４（詳細は後述する）及びほぼ円筒状の湯水混合弁ユニット６と、この湯水混合弁ユニット６を保持するほぼ円筒状の湯水混合弁保持ハウジング８（詳細は後述する）と、湯水混合弁ユニット６を操作する湯温調節用ダイヤル１０とを備えている。
つぎに、図１及び図２に示すように、本発明の一実施形態による湯水混合水栓１は、湯水混合水の流量を調整するほぼ円筒状の流量調整弁ユニット１２（詳細は後述する）及び流量調整弁ハウジング１４（詳細は後述する）と、流量調整弁ユニット１２に接続される接続ユニット１６と、この接続ユニット１６を介して流量調整弁ユニット１２を操作する吐止水切替ハンドル１８とを備えている。
【００１４】
つぎに、図１〜図５を参照して、水栓本体２の具体的な構造について説明する。
まず、図２〜図５に示すように、水栓本体２は、水平方向にほぼ円筒状に延びるように形成された金属製の鋳型成形品である。
この水栓本体２の背面側には、給湯源（図示せず）から供給される湯が流入する湯流入口２０、及び給水源（図示せず）から供給される水が流入する水流入口２２がそれぞれ形成されている。
また、図１、図２及び図５に示すように、水栓本体２の長手方向の中央部の上方には、前方側に突出するスパウト２４が一体的に形成されており、このスパウト２４内には、スパウト吐水用の排出流路２６が形成されている。このスパウト吐水用の排出流路２６の入口は、水栓本体２内のスパウト吐水用の湯水混合水が排出される水栓本体２の排出口であるスパウト吐水用の排出口２６ａとなり、スパウト吐水用の排出流路２６の出口は、スパウト２４の先端部に形成されたスパウト吐水用の吐水口２６ｂとなっている。
さらに、図１、図４及び図５に示すように、水栓本体２の長手方向の中央部の下方には、シャワーホース２８が接続されるシャワーホース接続管３０が下側に突出するように一体に形成されており、このシャワーホース接続管３０内には、シャワー吐水用の排出流路３２が形成されている。このシャワー吐水用の排出流路３２の入口は、水栓本体２内のシャワー吐水用の湯水混合水が排出される水栓本体２の排出口であるスパウト吐水用の排出口３２ａとなり、スパウト吐水用の排出流路２６の出口は、シャワーホース接続管３０の下端に位置している。
また、図３〜図５に示すように、水栓本体２の内部の中央部付近には、水栓本体２の長軸方向にほぼ円筒状に延びる筒状部３４が水栓本体２に対して一体に形成されており、いわゆる二重管構造になっている。
さらに、筒状部３４の一端部（湯水混合弁ハウジング４側の端部）の近傍の内周面には、筒状部３４の内径が小さくなるように全周に亘って突起３４ａが形成されている。
【００１５】
なお、本実施形態では、水栓本体２がほぼ円筒形状に形成された形態について説明するが、水栓本体は円筒形状に限られず、筒状のものであれば、例えば、水栓本体の横断面が円形以外の矩形断面や異形断面（楕円形、卵形等）であってもよい。
また、本実施形態では、水栓本体２の長手方向の中央部の下方には、シャワーホース２８が接続されるシャワーホース接続管３０が下側に突出するように形成され、このシャワーホース接続管３０の先端部にシャワーホース２８が接続された形態について説明するが、変形例として、このシャワーホース接続管３０を水栓本体２の長手方向の中央部の上側に突出させて、シャワーホース２８の代わりに上下方向に延びるシャワー管路を形成する棒部材である、いわゆる、「シャワーバー」の一部とされた形態であってもよい。
【００１６】
つぎに、図２〜図４及び図６を参照して、湯水混合弁ユニット６について説明する。
図６は、本発明の一実施形態による湯水混合水栓の湯水混合弁ユニットの斜視図である。
ここで、図６に示す湯水混合弁ユニット６においては、その湯側流入口６ａ及び水側流入口６ｂを外側から覆う網部材６ｃ（図２参照）が取り外された状態を示している。
図２〜図４及び図６に示すように、湯水混合弁ユニット６は、水栓本体２の一端側（図３及び図４に示す水栓本体２の長手方向の左側端部）から挿入されて水栓本体２内に収納され、水栓本体２の湯流入口２０から供給された湯の量と水栓本体２の水流入口２２から供給された水の量を調節して混合して湯水混合水を生成すると共に、この湯水混合水の温度調節を行うものである。
なお、湯水混合弁ユニット６の構造については、従来のものと同様であるため、具体的な説明は省略するが、湯水混合弁ユニット６に内蔵されている部品を簡単に説明すると、湯水混合弁ユニット６の湯側流入口６ａ及び水側流入口６ｂ（図６参照）のそれぞれの開度を調整する可動弁体、この可動弁体を位置決めする際に湯温調節用ダイヤル１０の操作により可動弁体を付勢するバイアスばね、及び湯水混合弁ユニット６内で混合された湯水混合水の温度に応じて可動弁体を付勢する付勢力を調整する感温ばね等が内蔵されている。
【００１７】
つぎに、図２〜図５及び図７を参照して、湯水混合弁ハウジング４について説明する。
図７は、本発明の一実施形態による湯水混合水栓の湯水混合弁ハウジングの斜視図である。
図２〜図４及び図７に示すように、湯水混合弁ハウジング４は、水栓本体２の一端側（図３及び図４に示す水栓本体２の左側端部）から挿入されることにより筒状部３４の一端（図３及び図４に示す筒状部３４の左側端部）に水密に接続される接続部３６（図７参照）を備えており、この接続部３６が水栓本体２の筒状部３４の一端側に接続される接続部となっている。
より具体的に説明すると、図３、図４及び図７に示すように、湯水混合弁ハウジング４の接続部３６の外周面には、全周に亘って溝３６ａ（図７参照）が形成されており、この溝３６ａには、シール部材であるＯリング３８（図３及び図４参照）が嵌め込まれている。
これにより、湯水混合弁ハウジング４は、水栓本体２の一端側から水栓本体２内に挿入された状態で、接続部３６の軸方向の一端面がこれと軸方向に対向する筒状部３４内の突起３４ａの軸方向の片側端面（図３に示す突起３４ａの左側端面）と当接すると共に、水栓本体２の筒状部３４の内周面と湯水混合弁ハウジング４の接続部３６の溝３６ａとの間がＯリング３８により水密に接続されるようになっている。
なお、本実施形態では、湯水混合弁ハウジング４の接続部３６に設けられているシール部材として、Ｏリング３８を用いた形態について説明するが、Ｏリング以外のシール部材であるヒレパッキン等を用いてもよい。
【００１８】
つぎに、図７に示すように、湯水混合弁ハウジング４における湯水混合弁保持ハウジング８側の端部の外周面には、複数の開口４０が湯水混合弁ハウジング４の周方向に等間隔に形成されており、水栓本体２の水流入口２２から流入した水が湯水混合弁ハウジング４の複数の開口４０のそれぞれから湯水混合弁ユニット６の水側流入口６ｂ（図６参照）に流入可能となっている。
なお、本実施形態では、湯水混合弁ハウジング４の複数の開口４０が周方向に等間隔に形成された形態について説明するが、複数の開口４０については、湯水混合弁ユニット６の内部で湯と水との混合斑を抑制することができる状態であれば、必ずしも等間隔に配置されていなくてもよい。
【００１９】
つぎに、図２〜図４、図８及び図９を参照して、湯水混合弁保持ハウジング８について説明する。
図８は、図１のＶＩＩＩ−ＶＩＩＩ線に沿った断面図であり、図９は、本発明の一実施形態による湯水混合水栓の湯水混合弁保持ハウジングの斜視図である。
図２〜図４、図８及び図９に示すように、湯水混合弁ユニット６を保持する湯水混合弁保持ハウジング８は、湯水混合弁ハウジング４の長軸方向の外側端部から離間して配置され、湯流入口２０付近の水栓本体２内に支持されている。
また、湯水混合弁保持ハウジング８には、水栓本体２の湯流入口２０（図８参照）及び湯水混合弁ユニット６の湯側流入口６ａ（図６参照）の双方と重なり合う通湯口４２（図２、図３、図８及び図９参照）が形成されている。
さらに、図９に示すように、湯水混合弁保持ハウジング８の外周面や通湯口４２を取り囲む外周部には、Ｏリング３８（図３、図４及び図８参照）が保持される溝４４が形成されており、この溝４４に保持されたＯリング３８により水栓本体２の内面と湯水混合弁保持ハウジング８の外周面との間の水密性が確保されている。
【００２０】
つぎに、図２〜図５、図１０及び図１１を参照して、流量調整弁ユニット１２及び流量調整弁ハウジング１４について説明する。
図１０は、本発明の一実施形態による湯水混合水栓の流量調整弁ユニットの斜視図である。
まず、図２〜図５及び図１０に示すように、流量調整弁ユニット１２は、水栓本体２の他端側（図３及び図４に示す水栓本体２の長手方向の右側端部）から挿入されて水栓本体２内に収納されるものである。
具体的には、図１０に示すように、流量調整弁ユニット１２は、その一端が水栓本体２の筒状部３４の他端側（図３及び図４に示す筒状部３４の右側）から挿入されて筒状部３４内に水密に保持される円筒状の弁座部材４６と、この弁座部材４６内に同軸に回転可能に設けられた円筒状の弁部材４８とを備えている。
また、図３、図４及び図１０に示すように、弁座部材４６の周面には、流量調整弁ユニット１２の流出口であるスパウト吐水用の流出口４６ａ及びシャワー吐水用の流出口４６ｂがそれぞれ複数形成されている。
さらに、弁部材４８の周面についても、弁座部材４６のスパウト吐水用の流出口４６ａ及びシャワー吐水用の流出口４６ｂのそれぞれと連通可能な弁部材４８の開口である、スパウト吐水用の開口４８ａ及びシャワー吐水用の開口４８ｂがそれぞれ複数形成されている。
また、図３、図４及び図１０に示すように、弁座部材４６の外周面には、その全周に亘って複数の溝４６ｃが形成されており、各溝４６ｃには、シール部材であるＯリング３８がそれぞれ保持されようになっている。そして、弁座部材４６は、その軸方向の一端面（図３及び図４に示す弁座部材４６の左側端面）がこれと軸方向に対向する筒状部３４内の突起３４ａの軸方向の片側端面（図３及び図４に示す突起３４ａの右側端面）と当接すると共に、水栓本体２の筒状部３４の内周面と弁座部材４６の外周面との間が複数のＯリング３８により水密に保持されている。
【００２１】
また、図２〜図５及び図１０に示すように、流量調整弁ユニット１２は、一端が弁部材４８の軸方向に連結されて回転軸部材５０を備え、この回転軸部材５０は、接続ユニット１６を介して吐止水切替ハンドル１８に接続されている。
そして、弁部材４８は、吐止水切替ハンドル１８及び回転軸部材５０の回転角度に応じて、弁部材４８のスパウト吐水用の開口４８ａと弁座部材４６のスパウト吐水用の流出口４６ａとが弁部材４８及び弁座部材４６の半径方向に重なり合うスパウト吐水用の開弁状態に切り替え可能であり、若しくは弁部材４８のシャワー吐水用の開口４８ｂと弁座部材４６のシャワー吐水用の流出口４６ｂとが弁部材４８及び弁座部材４６の半径方向に重なり合うシャワー吐水用の開弁状態に切り替え可能であり、又は弁部材４８の周面が弁座部材４６の各流出口４６ａ，４６ｂを閉鎖する閉弁状態に切り替え可能となっている。
さらに、図３〜図５及び図１０に示すように、流量調整弁ユニット１２には、湯水混合弁ユニット６の内部を通過した湯水混合水が流量調整弁ユニット１２の長軸方向から弁部材４８内に流入する流量調整弁ユニット１２の流入流路５２が形成されるようになっている。
また、図３〜図５及び図１０に示すように、流量調整弁ユニット１２には、開弁状態で弁部材４８の開口４８ａ及び弁座部材４６の流出口４６ａから流出するスパウト吐水用の流出流路５４ａ、又は開弁状態で弁部材４８の開口４８ｂ及び弁座部材４６の流出口４６ｂから流出するシャワー吐水用の流出流路５４ｂが形成されるようになっている。
ここで、図１０に示すように、流量調整弁ユニット１２の流入流路５２の方向Ｆ１は、弁座部材４６及び弁部材４８の長軸方向であり、流出流路５４ａ，５４ｂの方向Ｆ２は、弁座部材４６及び弁部材４８のそれぞれの半径方向外側方向となるため、流量調整弁ユニット１２における流入流路５２及び流出流路５４は互いに直交している。
なお、本実施形態では、湯水混合水の流量を調整する流量調整弁ユニット１２としては、スパウト吐水とシャワー吐水とを切り替える切り替え機能を有するものについて説明したが、スパウト吐水又はシャワー吐水のいずれかの吐水のみについて吐止水する単なる切替弁や開閉弁等からなる流量調整弁ユニットであってもよい。
【００２２】
つぎに、図１１は、本発明の一実施形態による湯水混合水栓の流量調整弁ハウジングの斜視図である。
図２〜図４及び図１１に示すように、流量調整弁ハウジング１４は、その一端側が水栓本体２の他端側（図３及び図４に示す水栓本体２の長手方向の右側端部）から挿入された状態で筒状部３４内の他端部に接続させる一端側の接続部５６と、水栓本体２の他端部の内面に接続される他端側の接続部５８とを備えたほぼ円筒状の部材であり、その内部には、流量調整弁ユニット１２の回転軸部材５０と接続ユニット１６が保持されている。
また、流量調整弁ハウジング１４の接続部５６，５８のそれぞれの外周面には、シール部材であるＯリング３８が嵌め込まれる溝５６ａ，５８ａが全周に亘って形成されているが、流量調整弁ハウジング１４の外周面を貫く開口等は設けられていない。
さらに、流量調整弁ハウジング１４の各接続部５６，５８の各溝５６ａ，５８に嵌め込まれた各Ｏリング３８により、流量調整弁ハウジング１４の一端側の接続部５６の外周面と水栓本体２の筒状部３４の他端側（図３及び図４に示す水栓本体２の筒状部３４の長手方向の右側端部）の内周面との間が水密に接続されると共に、流量調整弁ハウジング１４の他端側の接続部５８の外周面と水栓本体２内の他端側（図３及び図４に示す水栓本体２の長手方向の右側端部）の内周面との間がＯリング３８によって水密に接続されている。
これにより、図３〜図５に示すように、流量調整弁ユニット１２のスパウト吐水用の流出口４６ａとその下流側の水栓本体２のスパウト吐水用の排出口２６ａとが互いに直接的に重なり合うと共に、流量調整弁ユニット１２のシャワー吐水用の流出口４６ｂとその下流側の水栓本体２のシャワー吐水用の排出口３２ａとが互いに直接的に重なり合うように、流量調整弁ハウジング１４は水栓本体２の他端と筒状部３４の他端との間に配置されている。
すなわち、流量調整弁ハウジング１４は、流量調整弁ユニット１２の各流出口４６ａ，４６ｂと水栓本体２の各排出口２６ａ，３２ａとが互いに直接的に重なり合うように流量調整弁ユニット１２を水栓本体２の筒状部３４内に配置するためのスペーサとして機能するようになっている。
【００２３】
つぎに、図１及び図３〜図５に示すように、本実施形態の湯水混合水栓１においては、水栓本体２のスパウト吐水用の吐水口２６ｂの中心軸線Ａ１及びシャワー吐水用の排出口３２ａの中心軸線Ａ２については、水栓本体２の湯流入口２０の中心軸線Ａ３と水栓本体２の水流入口２２の中心軸線Ａ４との中間を通るように設定されているが、中心軸線Ａ３と中心軸線Ａ４との中間の近傍を通るように設定されてもよい。
なお、本実施形態では、水栓本体２の湯流入口２０の中心軸線Ａ３と水栓本体２の水流入口２２の中心軸線Ａ４との距離Ｌ１（図３参照）については、例えば、９０ｍｍ又は１５０ｍｍに設定されるのが好ましい。
【００２４】
また、図１及び図３〜図５に示すように、本実施形態の湯水混合水栓１においては、水栓本体２のシャワー吐水用の排出口３２ａの中心軸線Ａ２が、水栓本体２の長手方向の中心Ｏ１を通るように設定されているが、この中心Ｏ１の近傍を通るように設定されてもよい。
さらに、変形例として、スパウト吐水用の排出口２６ａの中心軸線Ａ５（図３参照）が水栓本体２の長手方向の中心Ｏ１を通るように設定されてもよい。
【００２５】
つぎに、図２〜図４を参照して、本発明の一実施形態による湯水混合水栓１の組み付け方法について説明する。
図２〜図４に示すように、本実施形態による湯水混合水栓１の組み付ける際、まず、湯水混合弁ハウジング４、湯水混合弁ユニット６及び湯水混合弁保持ハウジング８について、水栓本体２の一端側（図３及び図４に示す水栓本体２の長手方向の左側端部）から挿入することにより、湯水混合弁ハウジング４の接続部３６を水栓本体２の筒状部３４内の一端側にＯリング３８を介して水密に接続すると共に、湯水混合弁保持ハウジング８の通湯口４２と水栓本体２内の湯流入口２０とが直接的に重なり合うように湯水混合弁保持ハウジング８が水栓本体２内の一端部でＯリング３８を介して水密に保持される。
これにより、水栓本体２内では、互いに離間した湯水混合弁ハウジング４と湯水混合弁保持ハウジング８との２つの部材によって、湯水混合弁ユニット６が水密に支持されることになる。
ここで、湯水混合弁ハウジング４、湯水混合弁ユニット６及び湯水混合弁保持ハウジング８が水栓本体２の一端側から挿入される際には、これらの３つの部品４，６，８を予め組み付けた一部品の状態で挿入されてもよいし、単品の湯水混合弁ハウジング４が最初に挿入された後、順次、湯水混合弁ユニット６及び湯水混合弁保持ハウジング８が別々に挿入されてもよい。
【００２６】
つぎに、図２〜図４に示すように、流量調整弁ユニット１２、流量調整弁ハウジング１４、及び接続ユニット１６ユニットについて、水栓本体２の他端側（図３及び図４に示す水栓本体２の長手方向の右側端部）から挿入されることにより、流量調整弁ユニット１２の弁座部材４６について、その内部に弁部材４８を組み込んだ状態で水栓本体２の筒状部３４の他端側から挿入され、これらの弁座部材４６及び弁部材４８がＯリング３８を介して筒状部３４内に水密に保持される。
また、流量調整弁ハウジング１４の一端が水栓本体２の筒状部３４内の他端にＯリング３８を介して水密に接続され、流量調整弁ハウジング１４が水栓本体２の他端と筒状部３４の他端との間に配置される。
これにより、流量調整弁ユニット１２のスパウト吐水用の流出口４６ａとその下流側の水栓本体２のスパウト吐水用の排出口２６ａとが互いに直接的に重なり合うと共に、流量調整弁ユニット１２のシャワー吐水用の流出口４６ｂとその下流側の水栓本体２のシャワー吐水用の排出口３２ａとが互いに直接的に重なり合う。
よって、湯水混合弁ユニット６は、その下流側が湯水混合弁ハウジング４を介して流量調整弁ユニットのみと連通可能に配置され、流量調整弁ユニット１２は、その下流側が水栓本体２の各排出口２６ａ，３２ａを含む各排出流路２６，３２のみと連通可能に配置される。
【００２７】
また、これらの組み付けが完了した状態の湯水混合水栓１の水栓本体２の内部には、水栓本体２の湯流入口２０と湯水混合弁ユニット６の湯側流入口６ａとのみを連通させる通湯路Ｂ１（図３及び図８参照）が形成され、かつ水栓本体２の水流入口２２と湯水混合弁ユニットの水側流入口６ｂとのみを連通させる通水路Ｃ１（図３及び図５参照）が形成され、この通水路Ｃ１が、水栓本体２と流量調整弁ハウジング１４との間（図３及び図４参照）、水栓本体２と筒状部３４との間（図３〜図５参照）、水栓本体２と湯水混合弁ハウジング４との間（図３及び図４参照）、及び水栓本体２と湯水混合弁保持ハウジング８との間（図３、図４及び図８）にそれぞれ形成された状態となる。
したがって、通水路Ｃ１の水が水栓本体２の内側の最外周に通水されることになるため、使用者が水栓本体２の表面に触れたとしても熱くない湯水混合水栓１とすることができる。
【００２８】
上述した本発明の一実施形態による湯水混合水栓１によれば、流量調整弁ユニット１２が、その一端が水栓本体２の他端側から流量調整弁ハウジング１４を介して挿入された状態で筒状部３４内に保持される共に、湯水混合弁ユニット６側から流量調整弁ユニット１２内に流入した湯水混合水を流出させる流出口４６ａ，４６ｂを備えており、流量調整弁ユニット１２の各流出口４６ａ，４６ｂ及び水栓本体２の各排出口２６ａ，３２ａが互いに直接的に重なり合うように流量調整弁ハウジング１４が水栓本体２の他端と筒状部３４の他端との間に配置されていることにより、流量調整弁ユニット１２の各流出口４６ａ，４６ｂと水栓本体２の各排出口２６ａ，３２ａとの間の流路を最短に形成することができる。
したがって、水栓本体２の内部流路を簡単な経路にすることができ、水栓本体２の外形寸法（例えば、水栓本体２の外径φ１（図５参照）等）を小型化することができるため、湯水混合水栓１のデザイン性を高めることができる。
なお、水栓本体２の外径φ１については、例えば、４５ｍｍ程度に設定されるのが好ましい。
また、流量調整弁ハウジング１４により、水栓本体２と流量調整弁ハウジング１４との間における水栓本体２の各排出口２６ａ，３２ａの近傍にも通水路Ｃ１が形成されるため、使用者が水栓本体２の表面に触れたとしても熱くない湯水混合水栓１とすることができる。
【００２９】
また、本実施形態による湯水混合水栓１によれば、流量調整弁ユニット１２が、さらに、水栓本体２の筒状部３４内に設けられて流量調整弁ユニット１２の各流出口４６ａ，４６ｂが周面に形成された円筒状の弁座部材４６と、この弁座部材４６内に同軸に回転可能に設けられて周面に開口が形成された円筒状の弁部材４８とを備えており、円筒状の弁部材４８が、その回転角度に応じて弁部材４８の各開口４８ａ，４８ｂと円筒状の弁座部材４６の各流出口４６ａ，４６ｂとが弁部材４８及び弁座部材４６の半径方向に重なり合う開弁状態、又は弁部材４８の周面が弁座部材４６の各流出口４６ａ，４６ｂを閉鎖する閉弁状態のいずれかの状態に切り替え可能であり、流量調整弁ユニット１２には、湯水混合弁ユニット６を通過した湯水混合水が流量調整弁ユニット１２の長軸方向から弁部材４８内に流入する流入流路５２が形成されると共に、開弁状態で弁部材４８のスパウト吐水用の開口４８ａ及び弁座部材４６のスパウト吐水用の流出口４６ａ、又は弁部材４８のシャワー吐水用の開口４８ｂ及び弁座部材４６のシャワー吐水用の流出口４６ｂから流出する流出流路が形成され、流量調整弁ユニット１２の流入流路５２及び流出流路が互いに直交しているため、開弁状態では、湯水混合弁ユニット６を通過した湯水混合水が、流量調整弁ユニット１２の長軸方向から流量調整弁ユニット１２の弁部材４８に流入した後、弁部材４８の各開口４８ａ，４８ｂを経て弁座部材４６の流出口から弁部材４８及び弁座部材４６の半径方向に流出し、流量調整弁ユニット１２の各流出口４６ａ，４６ｂと直接的に重なり合う水栓本体２の各排出口２６ａ，３２ａから各排出流路２６，３２へ流出することできる。
また、流量調整弁ユニット１２における湯水混合水の流入流路５２と流出流路とが互いに直交していることにより、流量調整弁ユニット１２の各流出口４６ａ，４６ｂから水栓本体２の各排出口２６ａ，３２ａまでの下流側の流路を水栓本体２に設ける必要がなくなり、水栓本体２をより小型化させることができる。
【００３０】
さらに、本実施形態による湯水混合水栓１によれば、水栓本体２のスパウト吐水用の吐水口２６ｂの中心軸線Ａ１及びシャワー吐水用の排出口３２ａの中心軸線Ａ２が、水栓本体２の湯流入口２０の中心軸線Ａ３と水栓本体２の水流入口２２の中心軸線Ａ４との中間を通ることにより、水栓本体２の湯流入口２０及び水流入口２２のそれぞれが水栓本体２のスパウト吐水用の吐水口２６ｂを含むスパウト２４及びシャワー吐水用の排出口３２ａを含むシャワーホース接続管３０のそれぞれに対してほぼ等距離に配置されるため、湯水混合水栓１のデザイン性を高めると共に、湯水混合水栓１の長手方向の両端のいずれかの側からも使用者が水栓本体２のスパウト２４及びシャワーホース接続管３０のそれぞれにアクセスしやすくすることができる。
【００３１】
また、本実施形態による湯水混合水栓１によれば、水栓本体２のシャワー吐水用の排出口３２ａの中心軸線Ａ２が水栓本体２の長手方向の中心Ｏ１を通ることにより、シャワーホース２８が接続される水栓本体２のシャワーホース接続管３０が水栓本体２の長手方向の両端部から等距離の位置に形成されるため、湯水混合水栓１のデザイン性を高めると共に、湯水混合水栓１の長手方向の両端のいずれかの側からも使用者が水栓本体２のシャワーホース接続管３０にアクセスしやすくすることができる。
【符号の説明】
【００３２】
１    湯水混合水栓
２    水栓本体
４    湯水混合弁ハウジング
６    湯水混合弁ユニット
６ａ  湯水混合弁ユニットの湯側流入口
６ｂ  湯水混合弁ユニットの水側流入口
６ｃ  網部材
８    湯水混合弁保持ハウジング
１０    湯温調節用ダイヤル
１２    流量調整弁ユニット
１４    流量調整弁ハウジング
１６    接続ユニット
１８    吐止水切替ハンドル
２０    水栓本体の湯流入口
２２    水栓本体の水流入口
２４    スパウト
２６    スパウト吐水用の排出流路
２６ａ  水栓本体のスパウト吐水用の排出口（水栓本体の排出口）
２６ｂ  スパウト吐水用の吐水口
２８    シャワーホース
３０    シャワーホース接続管
３２    シャワー吐水用の排出流路
３２ａ  水栓本体のシャワー吐水用の排出口（水栓本体の排出口）
３４    水栓本体の筒状部
３４ａ  突起
３６    湯水混合弁ハウジングの接続部
３６ａ  溝
３８    Ｏリング
４０    湯水混合弁ハウジングの複数の開口
４２    湯水混合弁保持ハウジングの通湯口
４４    溝
４６    弁座部材
４６ａ  スパウト吐水用の流出口（流量調整弁ユニットの流出口）
４６ｂ  シャワー吐水用の流出口（流量調整弁ユニットの流出口）
４６ｃ  溝
４８    弁部材
４８ａ  スパウト吐水用の開口
４８ｂ  シャワー吐水用の開口
５０    回転軸部材
５２    流量調整弁ユニットの流入流路
５４ａ  流量調整弁ユニットのスパウト吐水用の流出流路
５４ｂ  流量調整弁ユニットのシャワー吐水用の流出流路
５６    流量調整弁ハウジングの一端側の接続部
５６ａ  溝
５８    流量調整弁ハウジングの他端側の接続部
５８ａ  溝
Ａ１  スパウト吐水用の吐水口の中心軸線
Ａ２  シャワー吐水用の排出口の中心軸線（水栓本体の排出口の中心軸線）
Ａ３  水栓本体の湯流入口の中心軸線
Ａ４  水栓本体の水流入口の中心軸線
Ａ５  スパウト吐水用の排出口の中心軸線
Ｂ１  通湯路
Ｃ１  通水路
Ｆ１  流量調整弁ユニットの流入流路の方向
Ｆ２  流量調整弁ユニットの流出流路の方向
Ｏ１  水栓本体の長手方向の中心
【図１】
0006730666.tif 000002
【図２】
0006730666.tif 000003
【図３】
0006730666.tif 000004
【図４】
0006730666.tif 000005
【図５】
0006730666.tif 000006
【図６】
0006730666.tif 000007
【図７】
0006730666.tif 000008
【図８】
0006730666.tif 000009
【図９】
0006730666.tif 000010
【図１０】
0006730666.tif 000011
【図１１】
0006730666.tif 000012